(57)【要約】【課題】空気浄化装置に使用されるフィルタユニットにおいて、ユーザが即時に設置方向を認識できるような構成のフィルタユニットを提供することにより、フィルタの空気浄化性能が最大限に活かされるようにすることを目的とする。【解決手段】空気浄化性能の異なる二種類以上の濾過部を有するフィルタ１と、前記フィルタ１を収納するフィルタ収納部２からなるフィルタユニットにおいて、前記フィルタ１および前記フィルタ収納部２に設置方向識別手段を備えたことにより、フィルタ収納部２に対するフィルタ１の設置方向をユーザが即時に認識できる。【選択図】図１
2012045491.tif 000002
【特許請求の範囲】
【請求項１】
空気浄化性能の異なる二種類以上の濾過部を有するフィルタと、前記フィルタを収納するフィルタ収納部からなるフィルタユニットにおいて、前記フィルタおよび前記フィルタ収納部に設置方向識別手段を備えたことを特徴とするフィルタユニット。
【請求項２】
設置方向識別手段が、フィルタの形状であり、フィルタの少なくとも一つの投影面が、左右または上下に非対称であることを特徴とする請求項１記載のフィルタユニット。
【請求項３】
設置方向識別手段が、フィルタ周囲に設けた凸部または凹部であり、その形状に対応する凹部または凸部をフィルタ収納部に設けることを特徴とする請求項１記載のフィルタユニット。
【請求項４】
設置方向識別手段が、フィルタに設けた複数の異極の磁石であり、フィルタ収納部には前記フィルタを正しく設置した場合に前記磁石と引き合うように複数の逆極の磁石を設けることを特徴とする請求項１記載のフィルタユニット。
【請求項５】
空気浄化性能の異なる二種類以上の濾過部を有するフィルタと、前記フィルタを収納するフィルタ収納部からなるフィルタユニットにおいて、前記フィルタに設置方向識別手段を備えたことを特徴とするフィルタユニット。
【請求項６】
設置方向識別手段が、フィルタの受風面に表示した図、記号、または文字であることを特徴とする請求項５記載のフィルタユニット。
【請求項７】
請求項１乃至６いずれかに記載のフィルタユニットと、前記フィルタユニットに空気を流すための送風手段とを備えたことを特徴とする空気浄化装置。
【発明の詳細な説明】
【技術分野】
【０００１】
本発明は、空気などの流体を濾過する空気浄化装置に使用されるフィルタの設置方向をユーザが即時に認識できるフィルタユニットに関するものである。
【背景技術】
【０００２】
従来、この種のフィルタユニットには、フィルタが枠体から取り外し可能であり、フィルタ側面に設けた突起部が、枠体に設けた係止穴に内側から挿入されることによりユニット化されるものが知られている（例えば、特許文献１参照）。
【０００３】
以下、そのフィルタユニットについて図７を参照しながら説明する。
【０００４】
図７に示すように、フィルタ１０１を枠体１０２に結合してユニット化するものであり、フィルタ１０１に設けた４つの突起部１０３が、相対する枠体１０２の係止穴１０４に挿入されることによって結合される。フィルタ１０１を枠体１０２から取り外すときには、フィルタ１０１を湾曲させて、突起部１０３を枠体１０２の係止穴１０４から外すことによって取り外すことができる。
【先行技術文献】
【特許文献】
【０００５】
【特許文献１】特開２００４−１０５８７９号公報
【発明の概要】
【発明が解決しようとする課題】
【０００６】
このような従来のフィルタユニットにおいては、フィルタ１０１に設けた４つの突起部１０３が、相対する枠体１０２の係止穴１０４に挿入されることによって結合されるものであり、収納方向、すなわち結合すべき上下、左右、または表裏の方向が区別されにくい。とくに、空気浄化性能の異なる二種類以上の濾過部を有するフィルタにおいては、それぞれの空気浄化性能を最大限に活かすために収納方向を明確に区別する必要があり、ユーザが即時に収納方向を認識できるような構成が求められている。
【０００７】
そこで本発明は、上記従来の課題を解決するものであり、フィルタ収納部に対する設置方向をユーザが即時に認識できるフィルタユニットを提供することを目的とする。
【課題を解決するための手段】
【０００８】
そして、この目的を達成するために、本発明は、空気浄化性能の異なる二種類以上の濾過部を有するフィルタに、フィルタ収納部に対する設置方向識別手段を備えたものであり、これにより所期の目的を達成するものである。
【発明の効果】
【０００９】
本発明によれば、空気浄化性能の異なる二種類以上の濾過部を有するフィルタに、フィルタ収納部に対する設置方向識別手段を備えたという構成にしたことにより、ユーザが即時にフィルタ収納部に対する設置方向を認識できるので、ユーザが設置方向を迷うことなく正しい設置方向にフィルタを設置でき、フィルタの空気浄化性能が最大限に活かされるという効果を得ることができる。
【図面の簡単な説明】
【００１０】
【図１】本発明の実施の形態１のフィルタユニットを示す概略斜視図
【図２】（ａ）同投影面が台形のフィルタを示す概略斜視図、（ｂ）同投影面が半円形のフィルタを示す概略斜視図、（ｃ）同投影面が矢印形のフィルタを示す概略斜視図、（ｄ）同投影面が台形のフィルタを示す概略斜視図
【図３】本発明の実施の形態２のフィルタユニットを示す概略斜視図
【図４】本発明の実施の形態３のフィルタユニットを示す概略断面図
【図５】本発明の実施の形態４のフィルタユニットを示す概略斜視図
【図６】本発明の実施の形態５の空気浄化装置を示す概略断面図
【図７】従来のフィルタユニットを示す概略斜視図
【発明を実施するための形態】
【００１１】
本発明の請求項１記載のフィルタユニットは、空気浄化性能の異なる二種類以上の濾過部を有するフィルタと、前記フィルタを収納するフィルタ収納部からなるフィルタユニットにおいて、前記フィルタおよび前記フィルタ収納部に設置方向識別手段を備えたことを特徴とする。これにより、ユーザが即時にフィルタ収納部に対する設置方向を認識できるので、ユーザが設置方向を迷うことなく正しい設置方向にフィルタを設置でき、フィルタの空気浄化性能が最大限に活かされるという効果を得ることができる。
【００１２】
また、設置方向識別手段が、フィルタの形状であり、フィルタの少なくとも一つの投影面が、左右または上下に非対称であることを特徴とするものであってもよい。これにより、ユーザが外観によって容易に設置位置を認識することができるので、ユーザが設置方向を迷うことなく正しい設置方向にフィルタを設置でき、フィルタの空気浄化性能が最大限に活かされるという効果を得ることができる。
【００１３】
また、設置方向識別手段が、フィルタ周囲に設けた凸部または凹部であり、その形状に対応する凹部または凸部をフィルタ収納部に設けることを特徴とするものであってもよい。これにより、ユーザが外観によって容易に設置位置を認識することができるので、ユーザが設置方向を迷うことなく正しい設置方向にフィルタを設置でき、フィルタの空気浄化性能が最大限に活かされるという効果を得ることができる。
【００１４】
また、設置方向識別手段が、フィルタに設けた磁石であり、フィルタ収納部には逆極の磁石を設けることを特徴とするものであってもよい。これにより、フィルタとフィルタ収納部とが正しい方向に向かって自然に吸い付くので、ユーザが即時にフィルタ収納部に対する設置方向を認識できるという効果を得ることができる。
【００１５】
本発明の請求項５記載のフィルタユニットは、空気浄化性能の異なる二種類以上の濾過部を有するフィルタと、前記フィルタを収納するフィルタ収納部からなるフィルタユニットにおいて、前記フィルタに設置方向識別手段を備えたことを特徴とする。これにより、ユーザが即時にフィルタ収納部に対する設置方向を認識できるので、ユーザが設置方向を迷うことなく正しい設置方向にフィルタを設置でき、フィルタの空気浄化性能が最大限に活かされるという効果を得ることができる。
【００１６】
また、設置方向識別手段が、フィルタの受風面に表示した図、記号、または文字であることを特徴とするものであってもよい。これにより、ユーザが外観によって容易に設置位置を認識することができ、かつ、受風によってフィルタに汚れ等が付着した場合には、それらの図、記号、または文字が隠れるので、フィルタの清掃または交換のタイミングを容易に知ることができる。
【００１７】
また、本発明の請求項７記載の空気浄化装置は、請求項１乃至５いずれかに記載の設置方向識別手段を備えたフィルタユニットを搭載するものである。これにより、ユーザが即時にフィルタ収納部に対する設置方向を認識できるので、ユーザが設置方向を迷うことなく正しい設置方向にフィルタを設置でき、フィルタの空気浄化性能が最大限に活かされる空気浄化装置を得ることができる。
【００１８】
以下、本発明の実施の形態について図面を参照しながら説明する。
【００１９】
（実施の形態１）
図１に示すように、空気浄化性能の異なる二種類の濾過部を有するフィルタ１とフィルタ収納部２からなるフィルタユニットは、フィルタ１の形状が設置方向識別手段をなすものである。四角形のフィルタ１の角に、切りかき部３を設け、同時に、対応するフィルタ収納部２には、切りかき部３を受けるため同形状に切りかきを設けてなる。このような構成によれば、外観によって、ユーザが即時にフィルタ収納部に対する設置方向を認識できるので、ユーザが設置方向を迷うことなく正しい設置方向にフィルタを設置できる。
【００２０】
空気浄化性能の異なる二種類の濾過部を有するフィルタ１とは、たとえば、受風部における圧力損失を二種類にわけることにより、圧力損失の低い濾過部へより多くの空気量を導入することができるものである。二種類の濾過部は、上下方向あるいは左右方向にわけるのが良く、空気流路における風速も考慮しながらその面積や圧力損失の値を調整するのが良い。この場合に、設置方向を違えると、フィルタ１の有する空気浄化性能を最大限に活かすことができなくなる。
【００２１】
フィルタ１の形状としては、必ずしも切りかき部３を設けた四角形でなくても良く、フィルタ１の少なくとも一つの投影面が、左右または上下に非対称であるものあれば良い。
【００２２】
図２にはそれらの形状について、いくつかの例を示す。濾過面から見た投影部（Ａ面）が非対称図形のものとして（ａ）台形  、（ｂ）半円、濾過面を直角に見た投影部（Ｂ面）が非対称図形のものとして（ｃ）矢印形、（ｄ）四辺の長さが異なる台形、などが挙げられる。これらのフィルタ１と、同形状でフィルタ１が収納できる大きさのフィルタ収納部２をユニットとすることにより、ユーザが即時にフィルタ収納部に対する設置方向を認識できるので、ユーザが設置方向を迷うことなく正しい設置方向にフィルタを設置できる。
【００２３】
（実施の形態２）
図３において、図１と同様の構成要素については同一の符号を付し、その詳細な説明は省略する。
【００２４】
図３に示すように、空気浄化性能の異なる二種類の濾過部を有するフィルタ１とフィルタ収納部２からなるフィルタユニットは、設置方向識別手段として、フィルタ１の上部に突起４を設け、同時に、対応するフィルタ収納部２には、突起４を受けるための凹部５を設けてなる。
【００２５】
このような構成によれば、外観によって、ユーザが即時にフィルタ収納部に対する設置方向を認識できるので、ユーザが設置方向を迷うことなく正しい設置方向にフィルタを設置できる。さらに、突起４はフィルタ１の濾過部面積を阻害しないため、フィルタの空気浄化性能が最大限に活かされる。
【００２６】
なお、図３には、フィルタ１には凸部として突起４を設けた例を示すが、フィルタ１に、凹部を設けても良い。凹部を設ける場合には、フィルタ１の濾過部面積をできるだけ阻害しないよう、フィルタ１の外周に配置するなど工夫すると良い。
【００２７】
（実施の形態３）
図４は、フィルタ１の上部にＮ極、下部にＳ極の磁石を設け、かつ、フィルタ収納部２の上部に磁石のＳ極６、下部に磁石のＮ極７を設けたものである。
【００２８】
このような構成によれば、フィルタ１とフィルタ収納部２とが正しい方向に向かって自然に吸い付くので、ユーザが即時にフィルタ収納部に対する設置方向を認識できるという効果を得ることができる。
【００２９】
なお、磁石の設置位置は、必ずしもフィルタ１の上下方向にする必要はなく、たとえば、左右や角部に設けても良い。磁石の設置数は２個以上とし、フィルタ１とフィルタ収納部２との接触面における重心に対して対象な位置に配置するのが良い。磁石の数が１個の場合、ユーザが正しい方向にフィルタ１を設置すればＮ極とＳ極が引き付けあう効果が得られるが、間違った方向に設置しようとした場合には、磁石の作用に関わらず、収納できてしまうため、フィルタの空気浄化性能が最大限に活かされなくなり好ましくない。
【００３０】
また、２個以上の磁石を設置する場合、その位置がフィルタ１とフィルタ収納部２との接触面における重心に対して対象であれば、ユーザがフィルタ１を誤った方向に設置しようとしたとき、磁石の同じ極が近づくことによって、フィルタ１とフィルタ収納部２とが反発し、設置が阻まれるため、方向を誤ったことをユーザが容易に認識し、正しい方向に直すことができる。
【００３１】
（実施の形態４）
図５は、フィルタ１の受風面に設置方向識別手段として「おもて」という文字を印字したものである。
【００３２】
このような構成によれば、ユーザが外観によって容易に設置位置を認識することができ、かつ、受風によってフィルタに汚れ等が付着した場合には、文字が隠れるので、フィルタの清掃または交換のタイミングを容易に知ることができる。
【００３３】
なお、設置方向識別手段として、文字でなくても、図や記号を表示して識別させても良い。表示の方法としては、スプレーなどによる印字を施せば、フィルタ１の濾過部面積が阻害されず、汚れ等を均一に付着させることができる。シールなどによる表示の場合には、フィルタ１の濾過部面積を阻害しないよう工夫すると良い。また、表示のサイズについて、とくに限定するものではないが、誰もが容易に設置方向を識別できるよう、できるだけ大きな表示とするのが良い。
【００３４】
（実施の形態５）
図６は、空気の吸込口８と吹出口９とを有する本体１０と、空気浄化性能の異なる二種類以上の濾過部を有する集塵フィルタ１１と集塵フィルタ収納部１２からなるフィルタユニットと、活性炭シートからなる脱臭フィルタ１３と、空気をフィルタに流すための送風手段としてのファン・モータ１４とを搭載した空気浄化装置の概略断面図である。フィルタユニットは、濾過面を直角に見た投影面が台形の集塵フィルタ１１と、対応する同形状の集塵フィルタ収納部１２から構成される。
【００３５】
ファン・モータ１４によって吸込口８から本体１０内に導入された空気は、集塵フィルタ１１の濾過面および脱臭フィルタ１３を通過して吹出口９から排出される。
【００３６】
このような構成によれば、ユーザがフィルタ１をたとえば上下反対方向に設置しようとしたとき、フィルタ１の直角部がフィルタ収納部２のテーパ部に当たり、収納が拒まれるので、ユーザが即時にフィルタ収納部に対する設置方向を認識できるという効果を得ることができる。
【００３７】
また、設置方向識別手段が、集塵フィルタ１１の形状によるものであっても、他に、集塵フィルタ１１の受風面に文字を表示したり、集塵フィルタ１１の周囲に凹凸を設けたりすることによって、設置方向識別手段を複数種類搭載しても良い。
【産業上の利用可能性】
【００３８】
本発明にかかるフィルタユニットおよび空気浄化装置は、空気浄化性能の異なる二種類以上の濾過部を有するフィルタに、フィルタ収納部に対する設置方向識別手段を備えたという構成にしたことにより、ユーザが設置方向を迷うことなく正しい設置方向にフィルタを設置でき、フィルタの空気浄化性能が最大限に活かされることを可能とするものであるので、空気濾過を目的とするフィルタを搭載する空気調和装置、空気清浄装置、除湿装置、加湿装置、水浄化装置等のフィルタユニットとして有用である。
【符号の説明】
【００３９】
１      フィルタ
２      フィルタ収納部
３      切りかき部
４      突起
５      凹部
６      磁石のＳ極
７      磁石のＮ極
８      吸込口
９      吹出口
１０    本体
１１    集塵フィルタ
１２    集塵フィルタ収納部
１３    脱臭フィルタ
１４    ファン・モータ
１０１  フィルタ
１０２  枠体
１０３  突起部
１０４  係止穴
【図１】
2012045491.tif 000003
【図２】
2012045491.tif 000004
【図３】
2012045491.tif 000005
【図４】
2012045491.tif 000006
【図５】
2012045491.tif 000007
【図６】
2012045491.tif 000008
【図７】
2012045491.tif 000009